【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】  下記の群より選ばれるポリペプチド；
（１）配列表の配列番号１に記載のアミノ酸配列からなるポリペプチド、
（２）配列表の配列番号１に記載のアミノ酸配列からなるポリペプチドを含有し、かつ脱ユビキチン化活性を有するポリペプチド、
（３）配列表の配列番号１に記載のアミノ酸配列からなるポリペプチドと少なくとも７０％のアミノ酸配列上の相同性を有し、かつ脱ユビキチン化活性を有するポリペプチド、
および
（４）前記（１）から（３）のいずれか１のポリペプチドにおいてアミノ酸配列中１個乃至数個のアミノ酸の欠失、置換、付加、または挿入といった変異を有し、かつ脱ユビキチン化活性を有するポリペプチド。
【請求項２】  配列表の配列番号１に記載のアミノ酸配列内の少なくとも５個の連続するアミノ酸残基を有するペプチド。
【請求項３】  下記の群より選ばれるポリペプチド；
（ａ）配列表の配列番号１に記載のアミノ酸配列からなるポリペプチドのＮ末端第１番目のアミノ酸残基から第５２１番目のアミノ酸残基までの５２１個の連続するアミノ酸残基からなるポリペプチド、
（ｂ）配列表の配列番号１に記載のアミノ酸配列からなるポリペプチドのＮ末端第１番目のアミノ酸残基から第５２１番目のアミノ酸残基までの５２１個の連続するアミノ酸残基からなるポリペプチドと少なくとも７０％のアミノ酸配列上の相同性を有し、かつ請求項１に記載のポリペプチドの脱ユビキチン化活性を阻害するポリペプチド、
および
（ｃ）前記（ａ）または前記（ｂ）のポリペプチドにおいて、アミノ酸配列中１個乃至数個のアミノ酸の欠失、置換、付加、または挿入といった変異を有し、かつ請求項１に記載のポリペプチドの脱ユビキチン化活性を阻害するポリペプチド。
【請求項４】  配列表の配列番号１に記載のアミノ酸配列からなるポリペプチドのＮ末端第１番目のアミノ酸残基から第５２１番目のアミノ酸残基までの５２１個の連続するアミノ酸残基からなるポリペプチドのアミノ酸配列内の少なくとも５個の連続するアミノ酸残基を有し、かつ請求項１に記載のポリペプチドの脱ユビキチン化活性を阻害するペプチド。
【請求項５】  請求項１に記載のポリペプチドまたは請求項２に記載のペプチドをコードするポリヌクレオチドまたはその相補鎖。
【請求項６】  配列表の配列番号２に記載の塩基配列からなるポリヌクレオチドまたはその相補鎖。
【請求項７】  配列表の配列番号２に記載の塩基配列からなるポリヌクレオチドまたはその相補鎖の少なくとも１５個の連続するヌクレオチドからなるポリヌクレオチド。
【請求項８】  請求項５から請求項７のいずれか１項に記載のポリヌクレオチドまたはその相補鎖とストリンジェントな条件下でハイブリダイゼーションするポリヌクレオチド。
【請求項９】  請求項３に記載のポリペプチドまたは請求項４に記載のペプチドをコードするポリヌクレオチドまたはその相補鎖。
【請求項１０】  配列表の配列番号４に記載の塩基配列からなるポリヌクレオチドまたはその相補鎖。
【請求項１１】  請求項５から請求項１０のいずれか１項に記載のポリヌクレオチドを含有する組換えベクター。
【請求項１２】  組換えベクターが発現組換えベクターである請求項１１に記載の組換えベクター。
【請求項１３】  請求項１１または請求項１２に記載の組換えベクターを導入されてなる形質転換体。
【請求項１４】  請求項１若しくは請求項３に記載のポリペプチド、または請求項２若しくは請求項４に記載のペプチドの製造方法であって、請求項１２に記載の組換えベクターを導入されてなる形質転換体を培養する工程、または請求項１１若しくは請求項１２に記載の組換えベクターを利用した無細胞蛋白質合成手段を含む方法。
【請求項１５】  請求項１若しくは請求項３に記載のポリペプチド、または請求項２若しくは請求項４に記載のペプチドを免疫学的に認識する抗体。
【請求項１６】  脱ユビキチン化活性を阻害する請求項１５に記載の抗体。
【請求項１７】  請求項１に記載のポリペプチドと相互作用してその生理活性を阻害する若しくは増強する化合物、および／または、請求項５若しくは請求項６に記載のポリヌクレオチドと相互作用してその発現を阻害する若しくは促進する化合物の同定方法であって、請求項１若しくは請求項３に記載のポリペプチド、請求項２若しくは請求項４に記載のペプチド、請求項５から請求項１０のいずれか１項に記載のポリヌクレオチド、請求項１１若しくは請求項１２に記載の組換えベクター、請求項１３に記載の形質転換体、および請求項１５若しくは請求項１６に記載の抗体のうちの少なくともいずれか１つを用いることを特徴とする方法。
【請求項１８】  請求項１に記載のポリペプチドと相互作用してその生理活性を阻害する若しくは増強する化合物、および／または、請求項５若しくは請求項６に記載のポリヌクレオチドと相互作用してその発現を阻害する若しくは促進する化合物の同定方法であって、化合物と該ポリペプチドまたは該ポリヌクレオチドとの相互作用を可能にする条件下で、該ポリペプチドまたは該ポリヌクレオチドと化合物とを接触させ、次いで、化合物と該ポリペプチドまたは該ポリヌクレオチドとの相互作用により生じるシグナルの存在若しくは不存在または変化を検出することにより、化合物が該ポリペプチドまたはポリヌクレオチドと相互作用して、該ポリペプチドの生理活性または該ポリヌクレオチドの発現を阻害または促進するかどうかを決定する方法。
【請求項１９】  生理活性が脱ユビキチン化活性である、請求項１７または請求項１８に記載の方法。
【請求項２０】  請求項３に記載のポリペプチドおよび／または請求項４に記載のペプチドからなる、請求項１に記載のポリペプチドの拮抗剤。
【請求項２１】  請求項１または請求項３に記載のポリペプチド、請求項２または請求項４に記載のペプチド、請求項５から請求項１０のいずれか１項に記載のポリヌクレオチド、請求項１１または請求項１２に記載の組換えベクター、請求項１３に記載の形質転換体、請求項１５または請求項１６に記載の抗体、および請求項２０に記載の拮抗剤のうちの少なくともいずれか１つを含有することを特徴とする医薬組成物。
【請求項２２】  請求項１または請求項３に記載のポリペプチド、請求項２または請求項４に記載のペプチド、請求項５から請求項１０のいずれか１項に記載のポリヌクレオチド、請求項１１または請求項１２に記載の組換えベクター、請求項１３に記載の形質転換体、請求項１５または請求項１６に記載の抗体、および請求項２０に記載の拮抗剤のうちの少なくともいずれか１つを含有することを特徴とする神経変性疾患の防止剤および／または治療剤。
【請求項２３】  前記神経変性疾患がアルツハイマー病および／またはパーキンソン病である請求項２２に記載の神経変性疾患の防止剤および／または治療剤。
【請求項２４】  請求項１または請求項３に記載のポリペプチド、請求項２または請求項４に記載のペプチド、請求項５から請求項１０のいずれか１項に記載のポリヌクレオチド、請求項１１または請求項１２に記載の組換えベクター、請求項１３に記載の形質転換体、請求項１５または請求項１６に記載の抗体、および請求項２０に記載の拮抗剤のうちの少なくともいずれか１つを含有することを特徴とする筋萎縮症の防止剤および／または治療剤。
【請求項２５】  請求項１若しくは請求項３に記載のポリペプチド、または請求項５、請求項６、請求項９若しくは請求項１０に記載のポリヌクレオチドを定量的あるいは定性的に測定する方法。
【請求項２６】  請求項１または請求項３に記載のポリペプチド、請求項２または請求項４に記載のペプチド、請求項５から請求項１０のいずれか１項に記載のポリヌクレオチド、請求項１１または請求項１２に記載の組換えベクター、請求項１３に記載の形質転換体、請求項１５または請求項１６に記載の抗体、および請求項２０に記載の拮抗剤のうちの少なくともいずれか１つを含んでなる試薬キット。